(57)【要約】【課題】撮像素子要素及び清掃具のゴミ除去部に出来る限り負荷をかけずに撮像素子要素からゴミを除去可能なデジタルカメラにおける撮像素子要素の清掃具を提供する。【解決手段】レンズ鏡筒を取り外した状態のカメラボディのボディ開口１１からカメラボディ内に挿入され、カメラボディに内蔵された撮像素子要素１８の扁平な前面に付着したゴミを除去する清掃具３０において、操作者によって把持される把持部３１と、把持部に接続され撮像素子要素の前面に転がり接触可能な粘着性材料からなる部分円筒面３８を有するゴミ除去部３８と、を備える。【選択図】図１
2007295355.tif 000002
【特許請求の範囲】
【請求項１】
レンズ鏡筒を取り外した状態のカメラボディのボディ開口から該カメラボディ内に挿入され、カメラボディに内蔵された撮像素子要素の扁平な前面に付着したゴミを除去する清掃具において、
操作者によって把持される把持部と、
該把持部に接続され、上記撮像素子要素の前面に転がり接触可能な粘着性材料からなる部分円筒面を有するゴミ除去部と、
を備えることを特徴とするデジタルカメラにおける撮像素子要素の清掃具。
【請求項２】
請求項１記載のデジタルカメラにおける撮像素子要素の清掃具において、
上記部分円筒面の周方向の一端部側である上記ゴミ除去部の基端部が、上記部分円筒面の母線と平行な回転軸回りに回転可能として上記把持部に枢着され、
上記ゴミ除去部を、その自由端部が上記把持部から離間する方向に回転付勢する回転付勢手段を備えるデジタルカメラにおける撮像素子要素の清掃具。
【請求項３】
請求項２記載のデジタルカメラにおける撮像素子要素の清掃具において、
上記回転付勢手段が、上記ゴミ除去部の上記基端部と上記把持部との間に設けられた引張ばねであるデジタルカメラにおける撮像素子要素の清掃具。
【請求項４】
請求項２または３記載のデジタルカメラにおける撮像素子要素の清掃具において、
上記ゴミ除去部の上記自由端部が上記把持部に最も近づく初期位置に位置したときに、上記ゴミ除去部を該初期位置に保持する保持手段を備えるデジタルカメラにおける撮像素子要素の清掃具。
【請求項５】
請求項４記載のデジタルカメラにおける撮像素子要素の清掃具において、
上記保持手段が、上記把持部とゴミ除去部の一方に突設された係合ピンと、他方に設けられた、該係合ピンと弾性的に係脱可能な弾性係合部材と、を備えるデジタルカメラにおける撮像素子要素の清掃具。
【請求項６】
請求項１から５のいずれか１項記載のデジタルカメラにおける撮像素子要素の清掃具において、
上記ゴミ除去部の自由端部が上記把持部から離間する方向の回転端を規定するストッパ機構を備えるデジタルカメラにおける撮像素子要素の清掃具。
【請求項７】
請求項１記載のデジタルカメラにおける撮像素子要素の清掃具において、
上記ゴミ除去部が上記把持部に相対移動不能として固定されているデジタルカメラにおける撮像素子要素の清掃具。
【請求項８】
請求項１記載のデジタルカメラにおける撮像素子要素の清掃具において、
基端部が上記把持部に片持ち支持され、該基端部を除く部分と上記把持部の間に隙間が形成された上記ゴミ除去部と、
該ゴミ除去部の上記基端部と上記把持部どうしを接続し、上記ゴミ除去部が上記隙間を利用して上記把持部側に近づくのを許容する方向に弾性変形可能な弾性接続部と、
上記ゴミ除去部の上記撮像素子要素との対向面をなす上記撮像素子要素の前面に転がり接触可能な部分円筒面であり、上記弾性接続部の自由状態においてその自由端部側がその基端部側より上記把持部から離間する粘着性材料からなるゴミ除去面と、
を備えるデジタルカメラにおける撮像素子要素の清掃具。
【請求項９】
請求項１から８のいずれか１項記載のデジタルカメラにおける撮像素子要素の清掃具において、
上記粘着性材料が粘着性弾性材料であるデジタルカメラにおける撮像素子要素の清掃具。
【請求項１０】
請求項９項記載のデジタルカメラにおける撮像素子要素の清掃具において、
上記粘着性弾性材料がスチレン系エラストマー、シリコンラバー、または粘着性ブチルゴムのいずれかによって成形されているデジタルカメラにおける撮像素子要素の清掃具。
【発明の詳細な説明】
【技術分野】
【０００１】
本発明は、デジタルカメラのカメラボディからレンズ鏡筒を取り外した状態で、カメラボディに内蔵された撮像素子要素（撮像素子またはその直前に位置する光学素子）の扁平な前面に付着したゴミを除去する清掃具に関する。
【背景技術】
【０００２】
レンズ鏡筒を交換可能なデジタルカメラの撮像素子要素の清掃装置の従来技術としては、例えば特許文献１に第２の実施形態の発明として記載されたものがある。
この特許文献１の第２の実施形態の清掃装置は、後面が開口する筒状をなしカメラボディのマウント部に着脱自在に装着される筒状ボディ部と、この筒状ボディ部内に設けられた伸縮自在（全体が筒状ボディ部内に収納される短縮状態と筒状ボディ部から後方（撮像素子側）に向かって突出する伸張状態とに変形自在）な入れ子式の伸縮部材と、この伸縮部材の後端部（撮像素子側の端部）に左右一対として後ろ向きに突設された保持部材と、左右の保持部材の後端間に両持ち状態で固着された粘着部と、を備えている。
この清掃装置は、伸縮部材が短縮状態にあるときにカメラボディ内に設けられたＣＰＵ等の制御手段の指令によって筒状ボディ部に内蔵されたモータが回転すると、このモータの回転駆動力によって伸縮部材が後方に伸張し、粘着部が撮像素子の直前に位置する保護ガラスの前面に接触する。粘着部を保護ガラスの前面に接触させた後に、上記モータを逆転させて伸縮部材を短縮状態に戻すと、粘着部が保護ガラスの前面から前方に離間し、保護ガラスの前面に付着してたゴミが粘着部によって除去される。
【０００３】
【特許文献１】特開２００４−３２６０９５号公報
【発明の開示】
【発明が解決しようとする課題】
【０００４】
特許文献１の発明では、粘着部が保護ガラスの前面から剥離するときに、粘着部のほぼ全体が保護ガラスの前面によって同時に引っ張られるので、このとき粘着部及び保護ガラスの前面には大きな負荷が掛かる。このように大きな負荷が掛かると、粘着部及び保護ガラスに破損や変形が生じるおそれがあり、さらに粘着部が破損したり変形すると次回のゴミ除去時に保護ガラスの所望箇所のゴミを確実に除去できなくなってしまう。
【０００５】
本発明の目的は、撮像素子要素及び清掃具のゴミ除去部に出来る限り負荷をかけずに撮像素子要素からゴミを除去可能なデジタルカメラにおける撮像素子要素の清掃具を提供することにある。
【課題を解決するための手段】
【０００６】
本発明のデジタルカメラにおける撮像素子要素の清掃具は、レンズ鏡筒を取り外した状態のカメラボディのボディ開口から該カメラボディ内に挿入され、カメラボディに内蔵された撮像素子要素の扁平な前面に付着したゴミを除去する清掃具において、操作者によって把持される把持部と、該把持部に接続され、上記撮像素子要素の前面に転がり接触可能な粘着性材料からなる部分円筒面を有するゴミ除去部と、を備えることを特徴としている。
【０００７】
本発明は、ゴミ除去部を回転可能なものとして実施できる。具体的には、上記部分円筒面の周方向の一端部側である上記ゴミ除去部の基端部が、上記部分円筒面の母線と平行な回転軸回りに回転可能として上記把持部に枢着され、上記ゴミ除去部を、その自由端部が上記把持部から離間する方向に回転付勢する回転付勢手段を備えるものとして実施可能である。
この回転付勢手段は、例えば上記ゴミ除去部の上記基端部と上記把持部との間に設けられた引張ばねによって構成できる。
【０００８】
上記ゴミ除去部の上記自由端部が上記把持部に最も近づく初期位置に位置したときに、上記ゴミ除去部を該初期位置に保持する保持手段を備えるのが好ましい。
この保持手段は、例えば、上記把持部とゴミ除去部の一方に突設された係合ピンと、他方に設けられた、該係合ピンと弾性的に係脱可能な弾性係合部材と、を備えるものとして構成できる。
【０００９】
上記ゴミ除去部の自由端部が上記把持部から離間する方向の回転端を規定するストッパ機構を備えるのが好ましい。
【００１０】
また本発明は、ゴミ除去部を回転不能な固定式のものとして実施できる。
即ち、上記ゴミ除去部を上記把持部に相対移動不能として固定することが可能である。
【００１１】
また、上記ゴミ除去部を基端部が上記把持部に片持ち支持され、該基端部を除く部分と上記把持部の間に隙間が形成されたものとし、該ゴミ除去部の上記基端部と上記把持部どうしを接続し、上記ゴミ除去部が上記隙間を利用して上記把持部側に近づくのを許容する方向に弾性変形可能な弾性接続部と、上記ゴミ除去部の上記撮像素子要素との対向面をなす上記撮像素子要素の前面に転がり接触可能な部分円筒面であり、上記弾性接続部の自由状態においてその自由端部側がその基端部側より上記把持部から離間する粘着性材料からなるゴミ除去面と、を備えるものとしてもよい。
【００１２】
いずれの態様でも、上記粘着性材料を粘着性弾性材料とするのが好ましい。
粘着性弾性材料としては、例えばスチレン系エラストマー、シリコンラバー、または粘着性ブチルゴムを利用できる。
【発明の効果】
【００１３】
本発明によれば、粘着性材料からなる部分円筒面を有するゴミ除去部を撮像素子要素から剥離するときに、ゴミ除去部は撮像素子要素から一部ずつ徐々に剥離する。剥離するときにゴミ除去部には引張力が生じるが、この引張力はゴミ除去部全体に同時に掛かるのではなく一部（剥離を起こしている部分）ずつ掛かるので、従来技術のように粘着部のほぼ全体が撮像素子要素から同時に剥離する場合に比べて剥離時に撮像素子要素及びゴミ除去部に掛かる負荷を低減できる。従って、撮像素子要素及びゴミ除去部に破損や変形が生じるおそれを小さくすることが可能である。
さらに粘ゴミ除去部に破損や変形が生じるおそれが小さいので、次回のゴミ除去時にはゴミ除去部によって撮像素子要素の所望箇所のゴミを確実に除去できる。
【発明を実施するための最良の形態】
【００１４】
以下、本発明の第１の実施形態について図１から図３を参照しながら説明する。なお以下の説明中では図１、図４、図５等に矢線で示すように、カメラの被写体側を「前方」とし像面側を「後方」とする。
まず、本発明である清掃具３０によって清掃される撮像素子及びカメラボディの構造について説明する。
デジタルカメラのカメラボディ１０の前面に形成された円形のボディ開口１１の周縁部には、正面視環状のマウント部１２が形成されている。このマウント部１２は図１に仮想線で示す交換式レンズ鏡筒１３のマウント部を着脱自在に接続するためのものである。カメラボディ１０の内壁には略垂直の固定板１４が固定されている。固定板１４の前面には撮像素子１５が固定されており、撮像素子１５の前面が正面視矩形の撮像面１６となっている。撮像面１６の有効画素範囲の外周側側には矩形枠状のスペーサ１７が当接しており、スペーサ１７の前面には正面形状が撮像素子１５と同一でその前面が扁平な保護ガラス（撮像素子要素）１８が当接している。さらに、撮像素子１５、スペーサ１７及び保護ガラス１８の周囲は固定板１４の前面に固定されたホルダ１９によって囲まれている。ホルダ１９の前面には撮像面１６の有効画素範囲全体を露出させる（有効画素範囲より面積が大きい）正面視矩形の窓孔２０が穿設されている。なお、このデジタルカメラは一眼レフ式であるため、カメラボディ１０内にはプリズム、ファインダ光学系、ミラー及びこのミラーを回転させる回転機構等が設けられているが、便宜上これらの構成要素については図示を省略している。
【００１５】
次に清掃具３０の構造について説明する。
清掃具３０は円柱形状をなす把持部３１と、把持部３１の後面に固着された正面視矩形の取付板部３２とを備えている。図３に示すように取付板部３２の上下両面の左端部には上下方向（粘着性弾性部材３８の母線と平行な方向）に延出する枢着軸（回転軸）３３がそれぞれ突設されている。上下の枢着軸３３には上下一対の接続片３４の先端近傍に穿設された枢着孔３５がそれぞれ回転可能に枢着されている。さらに、上下の接続片３４の基端部に平面視において円弧状をなす支持板３７の前面左端部が固着されている。この支持板３７は弾性変形不能な硬質材料製であり、支持板３７の外形形状は図示するように円筒の一部をなす部分円筒形状である。支持板３７の後面全体には支持板３７と略同形状（部分円筒形状）の粘着性弾性部材３８が固着されている。この粘着性弾性部材３８は粘着性ブチルゴム（粘着性材料、粘着性弾性材料）によって成形されている。粘着性弾性部材３８の後面の上下寸法及び左右寸法は撮像面１６の有効画素領域より長く、かつ窓孔２０より短く設定されている。
支持板３７及び粘着性弾性部材３８はゴミ除去部の構成要素であり、枢着軸３３を中心に取付板部３２に対して前後方向に回転可能である。さらに、支持板３７の左端部と取付板部３２の左端部とには引張ばね（回転付勢手段）Ｓの両端が係止されており、この引張ばねＳが支持板３７及び粘着性弾性部材３８を図１及び図２の時計方向に回転付勢している。図１及び図２に示すように、取付板部３２の後面の左端部にはストッパ３９が突設されている。従って、引張ばねＳの回転付勢力によって支持板３７及び粘着性弾性部材３８が図１及び図２の時計方向に回転すると、支持板３７及び粘着性弾性部材３８は支持板３７の左端部がストッパ３９に接触する図１の最大回転位置で停止する。即ち、ストッパ３９と支持板３７はストッパ機構の構成要素である。
【００１６】
取付板部３２の上面の右端部近傍には円柱形状の係合ピン（保持手段）４０が上向きに突設されており、支持板３７の前面の上縁部には弾性材料（例えば金属）からなる弾性係合部材（保持手段）４１の基端部が固着されている。弾性係合部材４１の先端部には係合ピン４０と弾性的に係脱可能な係合凹部４２が形成されている。従って、引張ばねＳの回転付勢力に抗して手で支持板３７及び粘着性弾性部材３８を図１及び図２の反時計方向に回転させ、支持板３７及び粘着性弾性部材３８を図２の初期位置に移動させると、係合凹部４２が係合ピン４０に係合し支持板３７及び粘着性弾性部材３８が図２の初期位置に保持される。
【００１７】
次に以上構成の清掃具３０を用いた保護ガラス１８の前面の清掃要領について説明する。
まずは、図１に示すようにカメラボディ１０のマウント部１２から交換式レンズ鏡筒１３を取り外す。さらに弾性係合部材４１の係合凹部４２と係合ピン４０の係合を解除して支持板３７及び粘着性弾性部材３８を図１の最大回転位置まで回転させる。次いで、手で把持部３１を把持し、清掃具３０をボディ開口１１からカメラボディ１０内に挿入し、図１に示すように粘着性弾性部材３８の後面（部分円筒面）の右端部を保護ガラス１８前面の右端部に接触させる。この状態で図１の矢線に示すように清掃具３０全体を略後方に移動させると、支持板３７及び粘着性弾性部材３８が引張ばねＳの付勢力に抗して枢着軸３３を中心に図１及び図２の反時計方向に回転し、粘着性弾性部材３８の後面が回転しながら保護ガラス１８の前面に徐々に接触する。このように粘着性弾性部材３８が保護ガラス１８に転がり接触すると、図１及び図２の右側から左側に向かって粘着性弾性部材３８と保護ガラス１８の対向部どうしが部分的に順次回転接触する。そして各対向部が互いに剥離するときに、保護ガラス１８の前面に付着していたゴミが粘着性弾性部材３８に吸着（除去）される。そして、図２に示すように粘着性弾性部材３８の後面の左端部が保護ガラス１８の前面の左端部に接触し、支持板３７及び粘着性弾性部材３８が図２の初期位置に達すると、係合ピン４０と係合凹部４２が自動的に係合し支持板３７及び粘着性弾性部材３８が初期位置に保持される。
支持板３７及び粘着性弾性部材３８が図２の初期位置に達した後に、清掃具３０を前方に引き戻し、粘着性弾性部材３８の左端部を保護ガラス１８の前面の左端部から剥離させると、保護ガラス１８の前面のゴミ除去作業が完了し、保護ガラス１８の前面の撮像面１６の有効画素範囲と前後方向に対向する部分全体のゴミが粘着性弾性部材３８によって除去される。
【００１８】
このように本実施形態によれば、粘着性弾性部材３８を保護ガラス１８から剥離させるときに、粘着性弾性部材３８は保護ガラス１８から一部ずつ徐々に剥離していく。剥離時に粘着性弾性部材３８と保護ガラス１８の間には引張力が生じるが、この引張力は粘着性弾性部材３８と保護ガラス１８の対向面全体に同時に掛かるのではなく、この対向面の剥離を起こしている部分にのみ生じる。そのため、粘着部ほぼ全体が保護ガラス１８から同時に剥離する従来技術に比べて、粘着性弾性部材３８の剥離時に粘着性弾性部材３８及び保護ガラス１８に掛かる負荷（引張力）は小さくなる。さらに、粘着性弾性部材３８が回転しながら保護ガラス１８の前面に順次接触しゴミを除去するので、粘着部全体を保護ガラスの前面に保護ガラスに直交する直線方向の大きな力で接触させる従来技術に比べて、ゴミ除去時に粘着性弾性部材３８及び保護ガラス１８に掛かる負荷を小さくすることが可能である。このように粘着性弾性部材３８を保護ガラス１８に接触させるとき及び保護ガラス１８から剥離させるときに粘着性弾性部材３８及び保護ガラス１８に掛かる負荷が小さいので、従来技術に比べて保護ガラス１８や粘着性弾性部材３８に破損や変形が生じるおそれ、及び清掃作業中に粘着性弾性部材３８が保護ガラス１８に対して位置ずれする（滑る）おそれは小さい。
【００１９】
また、粘着性弾性部材３８が破損したり変形しにくいので、次回のゴミ除去に粘着性弾性部材３８を保護ガラス１８の所望箇所に確実に接触させることが可能である。従って、清掃具３０を複数回利用しても、清掃具３０によって保護ガラス１８上のゴミを確実に除去できる。
さらに、粘着性弾性部材３８が粘着性ブチルゴム製なので、ゴミ除去作業の完了後に粘着性弾性部材３８の表面を水洗いすれば、粘着性弾性部材３８の粘着力（ゴミ除去力）はゴミ除去前とほぼ同じレベルにまで回復する。そのため本実施形態の粘着性弾性部材３８は繰り返し利用することが可能である。
またゴミ除去作業が完了すると、係合凹部４２が係合ピン４０に係合し支持板３７及び粘着性弾性部材３８が図２の初期位置に保持されるので、ゴミ除去作業完了後に粘着性弾性部材３８が保護ガラス１８に再度接触して、粘着性弾性部材３８によって除去されたゴミが保護ガラス１８に再度付着することはない。
【００２０】
次に本発明の第２の実施形態を、図４から図６を参照しながら説明する。なお、第１の実施形態と同一の部材には同じ符合を付すに止めて、その詳細な説明は省略する。
本実施形態の清掃具５０は、円柱形状の把持部５１の後端部に弾性変形不能な硬質材料からなる取付板部５２が固着されている。取付板部５２の正面形状は矩形であり、取付板部５２の後面は円筒面の一部をなす部分円筒形状である。そして取付板部５２の後面には第１の実施形態と材質及び形状が同一の粘着性弾性部材３８が固着されている。
【００２１】
この清掃具５０は以下の要領で使用する。
まずは、第１の実施形態と同様にカメラボディ１０のマウント部１２から交換式レンズ鏡筒１３を取り外し、手で把持部５１を把持して清掃具５０をボディ開口１１からカメラボディ１０内に挿入する。そして図４に示すように、粘着性弾性部材３８の後面の左端部を保護ガラス１８前面の左端部に接触させる。この状態で粘着性弾性部材３８と保護ガラス１８の接触部（左端部）を支点にして把持部５１を図４の右側に揺動させる。すると、粘着性弾性部材３８の後面が回転しながら保護ガラス１８の前面に徐々に接触する。このように粘着性弾性部材３８が保護ガラス１８に回転接触すると、図４の左側から右側に向かって粘着性弾性部材３８と保護ガラス１８の対向部どうしが部分的に順次回転接触する。そして、対向部どうしが互いに剥離するときに保護ガラス１８の前面に付着していたゴミが粘着性弾性部材３８に吸着（除去）される。そして、図５に示すように粘着性弾性部材３８の後面の右端部が保護ガラス１８の前面の右端部に接触した後に清掃具５０を前方に引き戻し、粘着性弾性部材３８の右端部を保護ガラス１８の前面の右端部から剥離させると、保護ガラス１８の前面のゴミ除去作業が完了し、保護ガラス１８の前面の撮像面１６の有効画素範囲と前後方向に対向する部分全体のゴミが粘着性弾性部材３８によって除去される。
【００２２】
このように本実施形態によれば、粘着性弾性部材３８が回転しながら保護ガラス１８の前面に順次接触しゴミを除去するので、第１の実施形態と同様に粘着性弾性部材３８が保護ガラス１８に接触するとき及び保護ガラス１８から剥離するときに粘着性弾性部材３８及び保護ガラス１８に掛かる負荷（引張力）を小さくすることができる。従って、粘着性弾性部材３８及び保護ガラス１８に破損や変形が生じるおそれ、及び清掃作業中に粘着性弾性部材３８が保護ガラス１８に対して位置ずれする（滑る）おそれは殆どない。
なお、最初に粘着性弾性部材３８の後面の右端部を保護ガラス１８前面の右端部に接触させ、この状態で粘着性弾性部材３８と保護ガラス１８の接触部（右端部）を支点にして把持部５１を図４の左側に揺動させても、上記と同様に保護ガラス１８の前面に付着していたゴミを粘着性弾性部材３８で吸着（除去）できるのは勿論である。
【００２３】
次に本発明の第３の実施形態を図７から図９を利用しながら説明する。なお、第１の実施形態と同一の部材には同じ符合を付すに止めて、その詳細な説明は省略する。
本実施形態の清掃具６０は、円柱形状の把持部６１の後端部に弾性変形不能な硬質材料からなる取付板部６２が固着されている。取付板部６２は正面視矩形の平板である。取付板部６２の左端面には弾性材料からなる弾性接続部６３の前端部が固着されている。弾性接続部６３の後部の右側面には、弾性変形不能な硬質材料からなる支持板６４の左端部が片持ち状態で固着されている。この支持板６４の正面形状は矩形であり側面形状は略円弧状である。さらに弾性接続部６３の後部の右側面及び支持板６４の後面には、正面形状が支持板６４と同一で側面形状が略円弧状であり第１の実施形態の粘着性弾性部材３８と同一材質からなる粘着性弾性部材６５が固着されている（粘着性弾性部材６５の後面が部分円筒面かつゴミ除去面である）。支持板６４と粘着性弾性部材６５はゴミ除去部の構成要素である。図示するように、取付板部６２の後面と支持板６４の前面の間には隙間６６が形成されている。図７及び図８に示すように弾性接続部６３が自由状態にあるときに、粘着性弾性部材６５の後面は、その自由端側（図７の右端部側）が基端部側（図７の左端部側）に比べて後方に位置している。
【００２４】
この清掃具６０は以下の要領で使用する。
まずは、カメラボディ１０のマウント部１２から交換式レンズ鏡筒１３を取り外し、把持部６１を手で把持しながら清掃具６０を後方に直進移動させ、ボディ開口１１からカメラボディ１０内に挿入する。そして図７に示すように、粘着性弾性部材６５の後面（ゴミ除去面）の右端部を保護ガラス１８前面の右端部に接触させる。この状態を維持したまま清掃具６０をさらに後方に直進移動させると、図８に示すように弾性接続部６３が弾性変形することにより支持板６４及び粘着性弾性部材６５がその左端部を中心に揺動し、支持板６４及び粘着性弾性部材６５の右端部が隙間６６を利用して取付板部６２に近づく。すると図８に示すように、粘着性弾性部材６５の後面と保護ガラス１８の前面の接触領域が右端側から左端側に向かって徐々に移動し（転がり接触し）、やがて粘着性弾性部材６５の後面の左端部が保護ガラス１８の前面に接触する。
このように粘着性弾性部材６５の後面の左端部が保護ガラス１８の前面に接触した後に、清掃具６０を前方に徐々に引き戻すと、図７に示すように粘着性弾性部材６５の後面と保護ガラス１８の前面の接触領域が左端側から右端部側に徐々に移動する。このように粘着性弾性部材６５の後面が保護ガラス１８から剥離するときに、保護ガラス１８の前面に付着していたゴミが粘着性弾性部材６５の対向面によって吸着（除去）される。そして図７に示すように粘着性弾性部材６５の後面の右端部が保護ガラス１８の前面と接触した状態で清掃具６０をさらに前方に引き戻すと、粘着性弾性部材６５の右端部が保護ガラス１８の前面から剥離する。このように粘着性弾性部材６５の右端部が保護ガラス１８の前面から剥離することにより保護ガラス１８の前面のゴミ除去作業が完了し、保護ガラス１８の前面の撮像面１６の有効画素範囲と前後方向に対向する部分全体のゴミが粘着性弾性部材６５によって除去される。
【００２５】
このように本実施形態では、粘着性弾性部材６５が保護ガラス１８から剥離するときに、粘着性弾性部材６５全体が保護ガラス１８から同時に剥離するのではなく、粘着性弾性部材６５の左端部から徐々に剥離するので、従来技術のように粘着部ほぼ全体が同時に剥離する場合に比べて、粘着性弾性部材６５の剥離時に粘着性弾性部材６５及び保護ガラス１８に掛かる負荷（引張力）を低減することが可能である。従って、粘着性弾性部材６５及び保護ガラス１８に破損や変形が生じるおそれは殆どなくなる。
さらに、上述のようにゴミ除去時の清掃具６０の操作方向が直進方向（前後方向）なので、本実施形態の清掃具６０の操作は非常に簡単である。
【００２６】
以上、本発明を各実施形態に基づいて説明したが、本発明は各実施形態に限定されるものではなく、様々な変更を施して実施可能である。
例えば、粘着性弾性部材３８、粘着性弾性部材６５、粘着性弾性部材７５を粘着性ブチルゴム製としたが、他の材料、例えばスチレン系エラストマーやシリコンラバー等によって粘着性弾性部材３８、粘着性弾性部材６５、粘着性弾性部材７５を成形してもよい。このように粘着性弾性部材３８、粘着性弾性部材６５、粘着性弾性部材７５をスチレン系エラストマーやシリコンラバー等によって成形しても、ゴミ除去後に水洗いをすれば粘着性弾性部材３８、粘着性弾性部材６５、粘着性弾性部材７５の粘着力（ゴミ除去力）が回復する。
また、第１の実施形態において弾性係合部材４１を取付板部３２側に設けて、係合ピン４０を支持板３７または粘着性弾性部材３８側に設けて実施してもよい。さらに、引張ばねＳ以外の付勢部材、例えば圧縮ばねによって回転付勢手段を構成してもよい。
さらに、撮像素子１５の直前に保護ガラス１８等の光学素子が位置しない場合は、粘着性弾性部材３８、粘着性弾性部材６５、粘着性弾性部材７５によって撮像素子（撮像素子要素）１５の扁平な撮像面１６のゴミを除去できるのは勿論である。また、撮像素子１５の直前に位置する撮像素子要素のうち最も前方に位置するものが保護ガラス１８以外の光学素子（例えば光学フィルタ）である場合は、この光学素子（光学フィルタ）の扁平な前面に付着しているゴミを粘着性弾性部材３８、粘着性弾性部材６５、粘着性弾性部材７５によって除去可能となる。
【図面の簡単な説明】
【００２７】
【図１】本発明の第１の実施形態の清掃具をカメラボディ内に挿入した様子を示す横断平面図である。
【図２】清掃具によるゴミ除去作業の完了直前の様子をカメラボディを省略して示す部分横断平面図である。
【図３】図１のIII矢線方向に見た清掃具の正面図である。
【図４】本発明の第２の実施形態の清掃具を用いたゴミ除去作業開始時の様子をカメラボディを省略して示す部分横断平面図である。
【図５】同じく清掃具を用いたゴミ除去作業の完了直前の様子をカメラボディを省略して示す部分横断平面図である。
【図６】図４のVI矢線方向に見た清掃具の正面図である。
【図７】本発明の第３の実施形態の清掃具を用いたゴミ除去作業開始時の様子をカメラボディを省略して示す部分横断平面図である。
【図８】同じく清掃具を用いたゴミ除去作業中間時の様子をカメラボディを省略して示す部分横断平面図である。
【図９】図８のIX矢線方向に見た清掃具の正面図である。
【符号の説明】
【００２８】
１０    カメラボディ
１１    ボディ開口
１２    マウント部
１３    交換式レンズ鏡筒
１４    固定板
１５    撮像素子
１６    撮像面
１７    スペーサ
１８    保護ガラス（撮像素子要素）
１９    ホルダ
２０    窓孔
３０    清掃具
３１    把持部
３２    取付板部
３３    枢着軸（回転軸）
３４    接続片
３５    枢着孔
３７    支持板（ゴミ除去部）（ストッパ機構）
３８    粘着性弾性部材（ゴミ除去部）
３９    ストッパ（ストッパ機構）
４０    係合ピン（保持手段）
４１    弾性係合部材（保持手段）
４２    係合凹部
５０    清掃具
５１    把持部
５２    取付板部
６０    清掃具
６１    把持部
６２    取付板部
６３    接続部
６４    支持板（ゴミ除去部）
６５    粘着性弾性部材（ゴミ除去部）
Ｓ      引張ばね（回転付勢手段）
【図１】
2007295355.tif 000003
【図２】
2007295355.tif 000004
【図３】
2007295355.tif 000005
【図４】
2007295355.tif 000006
【図５】
2007295355.tif 000007
【図６】
2007295355.tif 000008
【図７】
2007295355.tif 000009
【図８】
2007295355.tif 000010
【図９】
2007295355.tif 000011